(57)【特許請求の範囲】
【請求項１】
領域画成部により遊技球が流下する遊技領域が画成された遊技盤と、前記遊技領域における前記遊技球の打ち出し側と反対側の上部に設けられ、該遊技領域に打ち出された前記遊技球が衝突することで該遊技球の勢いを低減させる緩衝部材とを備えた遊技機において、
前記緩衝部材は、前記遊技領域における前記打ち出し側と反対側を画成する第１領域画成部の上部に設けられた取付部に取り付けられ、前記遊技領域における前記打ち出し側から前記第１領域画成部の上端部までの間を画成する第２領域画成部の内側に、該第２領域画成部と隙間を空けて重なるように配置され、
前記取付部は、前記遊技領域に打ち出された遊技球が衝突する側と反対側から前記緩衝部材を保持する保持壁を備え、
前記第２領域画成部に接触するアース金具が前記緩衝部材と反対側から前記保持壁に接触するよう配設された
ことを特徴とする遊技機。
【請求項２】
前記緩衝部材は、当該緩衝部材の外周面から前記保持壁側へ突出する第１部材係止部と、当該緩衝部材を前後に貫通する第２部材係止部とを備え、
前記取付部は、前記第１部材係止部の外形に整合する凹溝状の第１係止部が前記保持壁に形成されると共に、前後方向に延出する第２係止部を備え、前記第１部材係止部が前記第１係止部に嵌合し、前記第２部材係止部に前記第２係止部が差し込まれた状態で、前記緩衝部材を保持するよう構成され、
前記第２係止部は、前記第２領域画成部の延在方向に略沿う方向が長手となるよう構成された請求項１記載の遊技機。
【発明の詳細な説明】
【技術分野】
【０００１】
この発明は、遊技領域が画成された遊技盤と、遊技領域における遊技球の打ち出し側と反対側の上部に設けられた緩衝部材とを備えた遊技機に関するものである。
【背景技術】
【０００２】
代表的な遊技機であるパチンコ機は、遊技店に設けられた設置枠台に固定される固定枠としての外枠と、該外枠に対して着脱および開閉可能に枢支され、遊技盤が交換可能に配設される本体枠としての中枠と、中枠の前面側に該中枠に着脱および開閉可能に枢支され、中枠に配設した遊技盤を透視保護する透明板が配設される装飾枠としての前枠とを備えている。前枠には、透明板が配設される窓口の下方に、遊技球を貯留可能な上球皿や下球皿が配設されると共に、下球皿の右方に、上球皿から供給される遊技球を遊技盤に向けて発射する打球発射装置を作動させる操作ハンドルが設けられている。
【０００３】
前記遊技盤は、レールや装飾部材等の領域画成部により囲まれた遊技領域が該遊技盤の前面に画成されていると共に、該遊技領域内には前後に貫通する開口が形成されており、前後に開口した表示窓口が形成された枠状の枠状装飾部材が、該開口の開口縁に取り付けられている。遊技領域には、案内釘、始動入賞装置および普通入賞口、特別入賞装置、その他の遊技部品等が配設されている。また、枠状装飾部材の演出領域には、遊技盤の後側に配設された図柄表示装置の表示部や可動演出装置等が臨んでおり、該図柄表示装置の表示部での図柄変動演出や可動演出装置の可動体による演出が当該演出領域内で視認可能となっている。
【０００４】
前述のように構成されたパチンコ機は、操作ハンドルの操作により遊技盤の遊技領域における左側部上側から該遊技領域内へ打ち出された遊技球(パチンコ球)が、遊技領域内を流下して始動入賞装置に入賞すると図柄表示装置の表示部での図柄変動演出が開始され、該図柄表示装置における図柄組合せ結果として特別遊技状態(大当り)が発生すると、特別入賞装置の入賞口が開口して多数の遊技球を賞球として獲得し得るよう構成される。
【０００５】
ここで、近年の遊技機においては、特別遊技状態が発生した場合に、特別入賞装置に対する遊技球の入球確率を高めて特別遊技状態の遊技時間を短縮するため、特別入賞装置を遊技領域の右下側(枠状装飾部材の右下)に配設した遊技盤も多く実施されている。このような構成の遊技盤を備えた遊技機は、特別遊技状態の発現時に打球発射装置を所謂「右打ち状態」に変更して、遊技領域の右下側に配設された特別入賞装置に向けて遊技球を流下させる。この際に、遊技領域に強く打ち出された遊技球の勢いを弱めて、該遊技球を該遊技領域の右側を流下させるために、遊技領域の右側部上側に緩衝部材が設けられている(特許文献１)。
【先行技術文献】
【特許文献】
【０００６】
【特許文献１】特開２０１３−１６６０３１号公報
【発明の概要】
【発明が解決しようとする課題】
【０００７】
特許文献１に開示された遊技機の弾性緩衝部材は、縦長のブロック状に形成されて、保持部に設けられた支持部が嵌合可能な支持受孔が形成されており、各支持部が各支持受孔に嵌合することで保持部に固定されるようになっている。すなわち、弾性緩衝部材は、該弾性緩衝部材の上部側に形成された支持受孔および下部側に形成された支持受孔の夫々に保持部に設けられた各支持部が個別に嵌合し、かつ該弾性緩衝部材の外面が支持部の壁面に密着した構成となっているため、該弾性緩衝部材の変形自由度が低くなっている。このため、遊技領域に打ち出された遊技球が弾性緩衝部材に衝突した際には、該遊技球が衝突した部分だけが圧縮的に弾性変形するだけであり、当該遊技球の衝撃を低減するには課題がある。
【０００８】
すなわち本発明は、従来の技術に係る遊技機に内在する前記課題に鑑み、これを好適に解決するべく提案されたものであって、遊技領域へ打ち出された遊技球の勢いを好適に低減し得る緩衝部材を備えた遊技機を提供することを目的とする。
【課題を解決するための手段】
【０００９】
前記課題を克服し、所期の目的を達成するため、本願の請求項１に係る発明は、
領域画成部(22,23,24)により遊技球が流下する遊技領域(21)が画成された遊技盤(20)と、前記遊技領域(21)における前記遊技球の打ち出し側と反対側の上部に設けられ、該遊技領域(21)に打ち出された前記遊技球が衝突することで該遊技球の勢いを低減させる緩衝部材(64)とを備えた遊技機において、
前記緩衝部材(64)は、前記遊技領域(21)における前記打ち出し側と反対側を画成する第１領域画成部(24)の上部に設けられた取付部(55)に取り付けられ、前記遊技領域(21)における前記打ち出し側から前記第１領域画成部(24)の上端部までの間を画成する第２領域画成部(22)の内側に、該第２領域画成部(22)と隙間(S)を空けて重なるように配置され、
前記取付部(55)は、前記遊技領域(21)に打ち出された遊技球が衝突する側と反対側から前記緩衝部材(64)を保持する保持壁(57)を備え、
前記第２領域画成部(22)に接触するアース金具(80)が前記緩衝部材(64)と反対側から前記保持壁(57)に接触するよう配設されたことを要旨とする。
【００１０】
請求項１に係る発明によれば、遊技領域における遊技球の打ち出し側と反対側を画成する第１領域画成部の上部に設けられた取付部に取り付けられた緩衝部材が、該遊技領域における打ち出し側から該第１領域画成部の上端部までの間を画成する第２領域画成部の内側に、該第２領域画成部と隙間を空けて重なるよう配置されるので、遊技領域に打ち出されて第２領域画成部に沿って移動した遊技球が緩衝部材に衝突した際には、隙間の範囲内で当該緩衝部材の第２領域画成部側への弾性変形が許容される。すなわち、遊技球が衝突した際の緩衝部材の変形自由度が高められていることで、該緩衝部材の弾性変形に伴って遊技球の勢いを適切に低減することができる。そして、緩衝部材と第２領域画成部との隙間の大きさ以上の該緩衝部材の変形は規制されるので、緩衝部材の過剰な変形を規制して当該緩衝部材の破損等を防止し得る。
【００１１】
請求項２に記載の発明では、
前記緩衝部材(64)は、当該緩衝部材(64)の外周面から前記保持壁(57)側へ突出する第１部材係止部(74)と、当該緩衝部材(64)を前後に貫通する第２部材係止部(75)とを備え、
前記取付部(55)は、前記第１部材係止部(74)の外形に整合する凹溝状の第１係止部(58)が前記保持壁(57)に形成されると共に、前後方向に延出する第２係止部(59)を備え、前記第１部材係止部(74)が前記第１係止部(58)に嵌合し、前記第２部材係止部(75)に前記第２係止部(59)が差し込まれた状態で、前記緩衝部材(64)を保持するよう構成され、
前記第２係止部(59)は、前記第２領域画成部(22)の延在方向に略沿う方向が長手となるよう構成されたことを要旨とする。
また、本願には、次のような技術的思想が含まれる。
前記緩衝部材(64)は、前記第２領域画成部(22)および該第２領域画成部(22)の内側に位置する前記第１領域画成部(24)の上端部の間から、前記遊技領域(21)内に該第２領域画成部(22)に沿って配置されるブロック状に構成され、
前記緩衝部材(64)は、下端部(65)に設けられた第１部材係止部(74)と前記取付部(55)に設けられた第１係止部(58)との係止により該下端部(65)が前記取付部(55)に保持されると共に、上端部(67)が第２領域画成部(22)に向けて弾性変形可能に構成されたことを要旨とする。
上記構成によれば、緩衝部材は、下端部に設けられた第１部材係止部と取付部に設けられた第１係止部との係止により該下端部が取付部に保持され、上端部に遊技球が衝突した際には該上端部が第２領域画成部に向けて弾性変形することで、遊技球の勢いを低減することができる。
【００１２】
本願には、次のような技術的思想が含まれる。
前記緩衝部材(64)は、前記下端部(65)と前記上端部(67)との中間部(66)に、前記取付部(55)に設けられた第２係止部(59)に係止する第２部材係止部(75)が設けられていることを要旨とする。
上記構成によれば、緩衝部材が、第１部材係止部および第２部材係止部で第１領域画成部に設けられた取付部に保持されるので、該第２領域画成部と適切な隙間を空けた姿勢で配置される。
【００１３】
本願には、次のような技術的思想が含まれる。
前記緩衝部材(64)は、前記取付部(55)よりも前記遊技領域(21)の内側へ突出していることを要旨とする。
上記構成によれば、緩衝部材が取付部よりも遊技領域の内側へ突出しているので、遊技球が該取付部の縁部に接触することを防止し得る。
【発明の効果】
【００１４】
本発明に係る遊技機によれば、緩衝部材が変形自由度を高めた状態で配設されるので、遊技領域へ打ち出された遊技球の勢いを好適に低減することができる。
【図面の簡単な説明】
【００１５】
【図１】実施例のパチンコ機の正面図である。
【図２】実施例のパチンコ機に配設される遊技盤の正面図である。
【図３】設置部材を後側に取り付けた遊技盤の平面図である。
【図４】図３のＸ１−Ｘ１線断面図である。
【図５】取付部に緩衝部材を取り付けた盤面飾り部材の部分背面図である。
【図６】(ａ)は、緩衝部材を前方右斜め上方から見た斜視図であり、(ｂ)は、緩衝部材を後方左斜め上方から見た斜視図である。
【図７】取付部を設けた盤面飾り部材、緩衝部材およびアース金具を、分離した状態を後方左斜め上方から見た斜視図である。
【図８】(ａ)は、緩衝部材を取付部に取り付けた盤面飾り部材を、前方左斜め上方から見た部分斜視図であり、(ｂ)は、緩衝部材を取付部に取り付けた盤面飾り部材を、後方左斜め上方から見た斜視図である。
【図９】外レールに沿って到来したパチンコ球の衝突により、緩衝部材が外レール側へ弾性変形可能な状態を示す説明図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１７】
(パチンコ機)
図１に示すように、実施例に係るパチンコ機１０は、前後に開口する矩形枠状に形成されて遊技店の図示しない設置枠台に縦置き姿勢で設置される固定枠としての外枠１１の開口前面側に、図２に示す遊技盤２０を着脱可能に保持する本体枠としての中枠１２が、開閉および着脱可能に組み付けられている。遊技盤２０の裏側には、図３に示すように、所定条件の成立(後述する第１始動入賞装置３０の始動入賞口または第２始動入賞装置の始動入賞口へのパチンコ球(遊技球)の入賞)を契機として演出用の図柄(以下飾図という)を変動表示させて図柄変動演出を行う演出実行手段としての図柄表示装置３８が、着脱可能に配設されている。また、中枠１２の前面側には、遊技盤２０を透視保護するガラス板や透明な合成樹脂材により形成された透視保護板１９(図１参照)で前後に開口する窓口１３ａを覆うよう構成された装飾枠としての前枠１３が開閉可能に組み付けられると共に、該前枠１３の下部前側に、パチンコ球を貯留する上球皿１４および下球皿１５が組み付けられており、前枠１３の開閉に合わせて上球皿１４および下球皿１５も一体的に開閉するよう構成される。前枠１３には、窓口１３ａの外周を囲繞するようランプ装置１６が配設されると共に、該前枠１３の上部左右に、音声や効果音を出力可能なスピーカ１７が配設されている。すなわち、ランプ装置１６に設けられたＬＥＤ等の発光体(図示せず)を点灯・点滅したり、スピーカ１７から適宜の音声を出力することで、図柄表示装置３８の表示部３８ａでの図柄変動演出に合わせて発光演出や音声演出を行い得るよう構成されている。
【００１８】
また、図１に示すように、前枠１３の右下部には、中枠１２に配設された球発射装置(図示せず)および該前枠１３の裏側に配設された球送り装置(図示せず)を作動する操作ハンドル１８が設けられており、該操作ハンドル１８の回転操作により、球送り装置および球発射装置が連動して作動することで、上球皿１４に貯留されたパチンコ球が所定間隔で１球ずつ遊技盤２０に向けて連続的に発射されるようになっている。なお、上球皿１４と前枠１３と別体に形成して、該上球皿１４を中枠１２に対して開閉可能に組み付けるようにしてもよい。
【００１９】
(遊技盤)
遊技盤２０は、アクリルやポリカーボネート等の光透過性の合成樹脂製板やベニア等の木製合板を材質とする略矩形状の板部材であって、図２および図３に示すように、中枠１２に設けた遊技盤保持部(図示せず)の内縁形状に整合する外縁形成された略矩形の平板状に形成され、その前側には遊技領域２１が設けられると共に、その後側には設置部材４０が配設されている。遊技盤２０の前側には、左下部から右上部にかけて円弧状に延在する外レール(第２領域画成部、領域画成部)２２と、この外レール２２の内側に右下部から左上部にかけて並べて配置された内レール(領域画成部)２３と、外レール２２の右上部から内レール２３の右下部までの間が右方へ凹む湾曲形状に構成された盤面飾り部材(第１領域画成部、領域画成部)２４等が配設されており、両レール２２,２３および盤面飾り部材２４で囲まれた内側が遊技領域２１として構成されている。また、遊技領域２１の最下方に、遊技領域２１を流下したパチンコ球を遊技盤２０の裏側へ排出するアウト口２５が形成されている。これにより、前枠１３の上球皿１４から中枠１２に配設された球発射装置へ案内されて、該球発射装置から発射されたパチンコ球は、外レール２２と内レール２３との間を通って遊技領域２１の打ち出し側である左上部に打ち出された後に該遊技領域２１内を流下し、該パチンコ球の一部が第１始動入賞装置３０、特別入賞装置３２または普通入賞具３３等に入賞し、これらに入賞しないパチンコ球は、アウト口２５から遊技盤２０の裏側へ排出されるようになっている。
【００２０】
遊技盤２０には、前後に貫通する複数の装着口が開設されており、該装着口には、各種の遊技盤設置部品(具体的には枠状装飾体２６、第１始動入賞装置３０、特別入賞装置３２、ゲート部材３４、普通入賞具３３等が各装着口に対し前側から取り付けられる。すなわち、遊技盤２０の略中央において前後に開口する大きな装着口には、図２に示すように、前後に開口した演出窓口２６ａが形成されたセンター役とも称される枠状装飾体２６が配設されており、該演出窓口２６ａ内が演出領域とされている。枠状装飾体２６は、複数の装飾部材を環状に連結してユニット化されており、設置部材４０の後側に着脱可能に配設された図柄表示装置３８の表示部３８ａで演出表示される遊技内容に合わせた所定の装飾等が施されている。そして、枠状装飾体２６の演出窓口２６ａには、設置部材４０に配設された図柄表示装置３８の表示部３８ａや、該設置部材４０の前側に配設される可動演出装置や装飾装置等(何れも図示せず)が臨むようになっている。ここで、遊技領域２１は、枠状装飾体２６が配設されることで、該枠状装飾体２６の左側の第１流下領域２１ａおよび該枠状装飾体２６の右側の第２流下領域２１ｂに分れられている。
【００２１】
図２示すように、枠状装飾体２６の演出窓口２６ａに臨む下側部分に、パチンコ球が転動可能なステージ部２７が左右に延在して設けられていると共に、該ステージ部２７の後側に、透明な部材から形成された透明保護部材２８が配設されている。この透明保護部材２８は、枠状装飾体２６の左部に形成されて第１流下領域２１ａに開口する球通入口２９からステージ部２７へ導入されたパチンコ球が、該ステージ部２７の後方へ落下するのを防止する。なお、透明保護部材２８は、図柄表示装置３８の表示部３８ａの下部と前後に重なっているが、透明な部材であるから該表示部３８ａの透視を阻害するものではない。ステージ部２７の左右中央、すなわち第１始動入賞装置３０の直上となる位置には、該第１始動入賞装置３０に向けてパチンコ球を排出する凹部２７ａが、前下がりの傾斜状に形成されている。
【００２２】
遊技領域２１内の下方において遊技盤２０に形成された装着口には、図２に示すように、第１始動入賞装置３０が配設されていると共に、遊技領域２１において、枠状装飾体２６の右側下部には、装飾部材３７の後側に第２始動入賞装置(図示せず)が配設されている。また、遊技盤２０の遊技領域２１内において、第１始動入賞装置３０が配設される装着口の右側に形成された装着口には、特別入賞装置３２が配設されると共に、枠状装飾体２６の右部分には、別の特別入賞装置３２が配設されている。すなわち、第２始動入賞装置および各特別入賞装置３２,３２には、遊技領域２１の第２流下領域２１ｂを流下したパチンコ球が入賞可能となっている。更に、遊技盤２０の遊技領域２１内において、第１始動入賞装置３０が配設される装着口の左側に形成された装着口には、普通入賞具３３が配設されている。また、遊技盤２０の遊技領域２１内には、第１流下領域２１ａおよび第２流下流域２１ｂの両方に多数の遊技釘３５が打設され、第１流下領域２１ａに回転案内具３６が配設されると共に、第２流下領域２１ｂにゲート部材３４が配設されている。なお、装着口の形成数は、遊技盤２０に取り付けられる各種遊技盤設置部品の個数や配設位置等により必要に応じて適宜変更される。
【００２３】
(始動入賞装置)
第１始動入賞装置３０は、始動入賞口が遊技領域２１内で常に上方へ開口する常時開放タイプの入賞口とされ、遊技領域２１を流下するパチンコ球が常時一定の確率で入賞可能に構成されている。また、図示しない第２始動入賞装置は、該遊技領域２１に開口する始動入賞口を開閉自在に閉成する開閉部材を備えており、駆動手段の駆動に伴って開閉部材が閉鎖する閉鎖位置および開放する開放位置に変位して、該開閉部材が開放位置に変位した際に始動入賞口が開口するよう構成されている。すなわち、第１始動入賞装置３０は、遊技領域２１を流下するパチンコ球が常時一定の確率で入賞可能に構成され、第２始動入賞装置は、遊技領域２１に配設されたゲート部材３４をパチンコ球が通過したことを条件として実施される普図当り判定(普図当り抽選)の結果に応じて開閉部材が開閉することで、パチンコ球の入賞確率を可変し得るよう構成されている。そして、第１始動入賞装置３０および第２始動入賞装置は、始動入賞口に入賞したパチンコ球を検出する始動入賞センサが配設されており、該始動入賞センサによる球検出信号が、中枠１２の裏側に配設された主制御装置(図示せず)入力される。そして、各始動入賞センサによるパチンコ球の検出(すなわち第１始動入賞装置３０または第２始動入賞装置へのパチンコ球の入賞)を契機として、所定数のパチンコ球が賞球として払い出されるようになっている。また、始動入賞センサによるパチンコ球の検出を契機として、図柄表示装置３８の表示部３８ａにおいて図柄変動演出が行われる。
【００２４】
(特別入賞装置)
第１始動入賞装置３０の右隣りに配設された特別入賞装置３２は、横長に開口する特別入賞口を開閉する板状の開閉部材３２ａを備えており、駆動手段の駆動に伴って該開閉部材３２ａが前後方向へ回動することで特別入賞口を開閉するようになっている。枠状装飾体２６の右部分に配設された特別入賞装置３２は、左右方向へ回動する開閉部材３２ａを備えており、駆動手段の駆動に伴って開閉部材３２ａが閉鎖位置から開放位置へ回動することで特別入賞口が画成されるよう構成されている。また、各特別入賞装置３２には、特別入賞口に入賞したパチンコ球を検出する特別入賞検出手段としての特別入賞センサ(図示せず)が設けられて、該特別入賞センサはメイン制御基板に配線接続されており、該特別入賞センサからメイン制御基板への入賞検出信号の入力に伴って所定数(実施例では１５個)の賞球が払い出されるようになっている。ここで、特別入賞装置３２の駆動手段は、第１始動入賞装置３０または第２始動入賞装置へのパチンコ球の入賞を契機として各特別入賞装置３２の特別入賞口を開放する当り遊技(大当り遊技)が付与される場合に、当りの種類に応じた所定の開閉条件に従ってメイン制御基板によって駆動制御され、開閉部材３２ａが回動することで特別入賞口に対して多数のパチンコ球が入賞可能となる。
【００２５】
(図柄表示装置)
図柄表示装置３８は、図３に示すように、遊技盤２０の後側に取り付けられた設置部材４０に配設され、各種図柄を表示可能な表示部３８ａをなす液晶パネルが収容ケースに収容されたユニット部材である。図柄表示装置３８の収容ケースの後面には、該図柄表示装置３８の表示部３８ａの表示制御を行う表示制御装置や、当該パチンコ機１０の遊技演出を統括的に制御する統括制御基板が収容された統括制御装置が配設されている。図柄表示装置３８の表示部３８ａには、飾図を変動表示可能な図柄列が複数列(例えば３列)設定されており、第１始動入賞装置３０または第２始動入賞装置へのパチンコ球の入賞を契機として、各図柄列の飾図が変動開始されると共に背景画像等が表示され、選択された図柄変動演出(リーチ演出や外れ演出等)を行った後に、予め決定された最終停止図柄を、入賞ライン上に停止表示するようになっている。なお実施例では、図柄表示装置３８として、表示部３８ａが液晶パネルである液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。
【００２６】
(主制御装置)
実施例のパチンコ機１０の遊技を総合的に制御する主制御装置の主制御基板は、図柄表示装置３８が配設された設置部材４０に、基板ケースに収容されて配設されている。主制御基板は、制御動作を所定の手順で実行することができるメイン制御ＣＰＵ、メイン制御ＣＰＵの制御プログラムを格納するメイン制御ＲＯＭおよび必要なデータの書き込みおよび読み出しができるメイン制御ＲＡＭを備えている。
【００２７】
主制御基板は、大当り判定用乱数、大当り図柄用乱数、変動パターン振分用乱数、普図当り判定用乱数等の各種乱数の値を所定の周期毎に更新し、更新後の値をメイン制御ＲＡＭの設定領域に記憶(設定)することで更新前の値を書き換えており、乱数更新処理(乱数生成処理)を実行するようになっている。例えば、主制御基板では、第１始動入賞装置３０または第２始動入賞装置の始動入賞センサから検出信号が入力されると、メイン制御ＣＰＵがメイン制御ＲＯＭから大当り判定用乱数を取得し、この大当り判定用乱数とメイン制御ＲＯＭに記憶されている大当り判定値とを比較し、大当りとするか否かの大当り判定(大当り抽選)を行う。また主制御基板では、大当り判定の結果が肯定の場合には、大当り演出のみが含まれる変動パターンテーブルから大当り演出用の変動パターンを決定する。これに対して、大当り判定の結果が否定の場合には、はずれ演出のみが含まれる変動パターンテーブルからはずれ演出用の変動パターンを決定する。大当り演出用およびはずれ演出用の変動パターンの決定は、大当り判定と同様に、メイン制御ＣＰＵがメイン制御ＲＯＭから取得した乱数により行う。なお、変動パターンテーブルから決定される大当り演出およびはずれ演出の変動パターンは、少なくとも図柄変動ゲームの変動時間および演出内容を特定するものである。そして、パチンコ機１０では、主制御基板の大当り判定の結果に応じて出力された統括制御基板の制御信号に基づいて、図柄表示装置３８に所定の演出表示を行わせると共に、主制御基板の制御により出力された球払出しに係る制御信号に基づいて、図示しない球払出装置によって所定数の賞球が上球皿１４へ払い出される。
【００２８】
(統括制御装置)
統括制御装置の統括制御基板には、統括制御ＣＰＵが備えられると共に、該統括制御ＣＰＵには、統括制御ＲＯＭおよび統括制御ＲＡＭが接続されている。また、統括制御ＣＰＵは、実行可否判定用乱数や動作演出パターン抽選用乱数等の各種乱数の値を所定の周期毎に更新し、更新後の値を統括制御ＲＡＭの設定領域に記憶(設定)して更新前の値を書き換えている。更に、統括制御ＲＯＭには、図柄表示装置３８の表示部３８ａにおける演出内容を制御する表示制御基板、ランプ装置１６を制御するランプ制御基板を統括的に制御するプログラムや、スピーカ１７を制御する音制御基板等を統括的に制御するプログラムや、演出装置を作動制御するプログラム等が記憶されている。
【００２９】
統括制御ＣＰＵは、各種制御コマンドを入力すると、統括制御プログラムに基づき各種制御を実行する。例えば、統括制御基板では、主制御基板のメイン制御ＣＰＵから変動パターン指定コマンドが入力されると、統括制御ＣＰＵが統括制御ＲＯＭから実行可否判定用乱数を取得し、この実行可否判定用乱数と統括制御ＲＯＭに記憶されている実行可否判定値とを比較し、演出装置の可動体演出を実行するか否かの実行可否判定を行う。そして、統括制御基板は、実行可否判定の結果が肯定の場合において、演出装置を動作させる。
【００３０】
(緩衝構造)
次に、遊技盤２０において、遊技領域２１におけるパチンコ球の打ち出し側(実施例では左側)と反対側(実施例では右側)の上部に設けられ、該遊技領域２１に打ち出されたパチンコ球が衝突することで該パチンコ球の勢いを低減させる緩衝構造につき、図面を引用して説明する。遊技盤２０には、遊技領域２１の右側を盤面飾り部材(第１領域画成部)２４の上部に、緩衝部材６４を取り付けるための部材取付部５５が設けられている。これにより、実施例の遊技盤２０は、前述した球発射装置により遊技領域２１内へ打ち出されて外レール２２に沿って該遊技領域２１の右上部まで到来したパチンコ球を、部材取付部５５に配設した緩衝部材６４に衝突させることで、当該パチンコ球の勢いを低減させ得ると共に、該パチンコ球の衝突による異音の発生を抑制し得るよう構成されている。
【００３１】
(盤面飾り部材)
盤面飾り部材２４は、図２に示すように、遊技盤２０の上下寸法と略同じ上下寸法に形成された合成樹脂製の一体成形部材である。盤面飾り部材２４は、遊技盤２０の前面における遊技領域２１の外側における右上コーナー部および右下コーナー部を覆い得る形状をなしている。すなわち、盤面飾り部材２４は、上下方向の略中央において左右寸法が最小で、該最小部分から上方および下方にいくにつれて左方へ延出する形状をなしており、上端部よりも下端部の左右寸法が大きくなっている。盤面飾り部材２４は、図２、図３および図７に示すように、遊技盤２０の前面から前方に離間して位置する前壁４５と、該前壁４５の左縁から後方へ延出し、該左縁に沿って右方へ凹となる湾曲に延在する内側壁４６と、該前壁４５の上縁、右縁および下縁から後方へ延出して、該上縁、右縁および下縁に沿って延在する外側壁４７とを備えている。内側壁４６は、盤面飾り部材２４の上方に設けた部材取付部５５から下方へ延在して遊技領域２１を画成するレール部４６ａと、該部材取付部５５から上方へ延在して外レール２２の外側(上側)に位置する上内側面４６ｂとからなる。して該外レール２２に沿って延在するようになっている。なお、盤面飾り部材２４の前後寸法は、パチンコ球の直径と同等以上でかつ直径の２倍より小さく設定されている(図３参照)。
【００３２】
盤面飾り部材２４は、図５、図７および図８(ｂ)に示すように、縦方向および横方向へ延在する補強リブ４８が、前壁４５の裏面に一体に形成されている。また、盤面飾り部材２４を遊技盤２０に取り付けるための盤面取付部４９が、当該盤面飾り部材２４の裏側に複数設けられている。盤面取付部４９は、盤面飾り部材２４の裏側に設けられた補強リブ４８に一体に形成されて後方へ突出し、後側から見て十字型をなすボス状部であり、遊技盤２０の前面所要位置に設けられた差し込み孔(図示せず)に前側から圧入して係止される。また、盤面飾り部材２４における部材取付部５５の上方には、中枠１２に設けられた遊技盤固定具(図示せず)が係止する取付凹部５０が、前壁４５から後方へ凹んだ形状に設けられている。
【００３３】
(部材取付部)
盤面飾り部材２４に設けられた部材取付部５５は、図５、図７および図８に示すように、レール部４６ａの上端部および上内側壁４６ｂの下端部の間に設けられている。部材取付部５５は、前壁４５の裏側に設けられると共に、上内側壁４６ｂおよびレール部４６ａの間から遊技領域２１へ開口して設けられている。これにより、図２および図８(ａ)に示すように、部材取付部５５に取り付けられた緩衝部材６４は、遊技盤２０の前側から僅かに視認される状態で遊技領域２１へ露出するように配置される。部材取付部５５は、前壁４５の一部よりなり、緩衝部材６４を前側から保持する第１保持壁５６と、前壁４５の裏面から後方へ延出し、緩衝部材６４を下方から保持する第２保持壁５７とを備えている。また、部材取付部５５は、第２保持壁５７に形成され、緩衝部材６４に設けられた第１部材係止部７４が嵌合して係止する第１係止部５８と、第１保持壁５６から後方へ延出して形成され、緩衝部材６４に設けられた第２部材係止部７５に差し込まれる第２係止部５９とを備えている。
【００３４】
(第１保持壁)
第１保持壁５６は、図７および図８(ａ)に示すように、緩衝部材６４の前端面６８が当接するようになり、上下方向および左右方向に向いて平坦な平滑面に形成されている。また、第１保持壁５６における遊技領域２１に臨む縁部５６ａは、緩衝部材６４の前端面６８の外縁に近似した輪郭形状に形成されている。これにより、第１保持壁５６は、部材取付部５５に取り付けた緩衝部材６４の前端面６８における上端面７０および左側端面７３に沿う部分を残して覆うようになっている(図８(ａ)参照)。
【００３５】
(第２保持壁)
第２保持壁５７は、図４、図５、図７および図８(ｂ)に示すように、緩衝部材６４の下端部６５の下面形状(下端面７１の形状)に合わせて、左右方向において下方へ凹となる湾曲した形状に形成されている。第２保持壁５７は、下内側壁５６ｂに連なって設けられると共に、該第２保持壁５７に隣接する補強リブ４８と連なって設けられており、緩衝部材６４にパチンコ球が衝突した際の衝撃に対して変形し難く構成されている。また、第２保持壁５７は、その右端部が、取付部５５に隣接して配設される後述のアース金具８０と接触するように形成されており(図５参照)、これによっても補強が図られている。
【００３６】
(第１係止部)
第１係止部５８は、図７および図８(ｂ)に示すように、第２保持壁５７に、前後方向へ直線に延在すると共に、上方および後方へ開口した凹溝部である。第１係止部５８の底部は、補強リブ４８と連なって設けられている。
【００３７】
(第２係止部)
第２係止部５９は、図４、図５および図７に示すように、第１保持壁５６における第２保持壁５７から上方へ離間した位置において、後方へ延出して形成されている。第２係止部５９は、第１保持壁５６から後方へ水平かつ直線状に延出した棒状部であり、盤面飾り部材２４を遊技盤２０に取り付けた状態で、突出端(後端)が該遊技盤２０の前面に当接または近接する延出長さに設定されている。また、第２係止部５９は、延出方向と直交した方向での断面形状が俵形状をなしていると共に(図４参照)、断面における長手側が鉛直方向に対して斜めとなるように形成されている。すなわち、第２係止部５９は、外レール２２における緩衝部材６４と隣接する隣接部２２ａの延在方向に略沿う方向が長手となる俵形状の断面形状をなす棒状部となっている。これにより第２係止部５９は、外レール２２に沿う方向(左斜め上方)から加わる外力に対する剛性が向上している。従って、第２係止部５９に係止された緩衝部材６４に対し、外レール２２に沿って飛翔したパチンコ球が衝突した際に、該第２係止部５９に加わる外力を適切に受け止め得るようになっている。
【００３８】
(緩衝部材)
緩衝部材６４は、図４〜図８に示すように、外レール２２と、該外レール２２の内側に位置する盤面飾り部材２４におけるレール部４６ａの上端部４６ｃとの間から、遊技領域２１内に該外レール２２に沿って配置されるブロック状の部材である。この緩衝部材６４は、弾力性を有すると共に、耐摩耗性や耐衝撃性等が優れた素材から形成されており、例えばウレタンゴムやニトリルゴム等から形成される。すなわち、硬球であるパチンコ球が勢いよく多数回衝突しても、長期に亘って弾力性が維持されると共に割れや欠け等の破損し難い特性を有している。
【００３９】
緩衝部材６４は、図４〜６に示すように、直方体が部分的に変形した形状をなし、前面視において、長手方向が鉛直方向に対し左方へ傾いた斜め姿勢で部材取付部５５に取り付けられるようになっている。すなわち、緩衝部材６４は、遊技領域２１へ打ち出されて外レール２２に沿って右方へ飛翔するパチンコ球が接近する方向に向けて傾いた斜め姿勢で部材取付部５５に取り付けられる。
【００４０】
(緩衝部材の形状について)
緩衝部材６４は、図６に示すように、第１保持壁５６に対向する前端面６８および遊技盤２０の前面に対向する後端面６９は、平坦に形成されていると共に平行となっている。遊技領域２１におけるパチンコ球の打ち出し側に向いた上端面７０は平坦に形成されると共に、第２保持壁５７に対向する下端面７１は、下方へ凸となると共に左右方向で湾曲した形状に形成されている。そして、外レール２２に対向する右側端面７２は、長手方向の略中央に段差が形成されて、上端部６７側より下端部６５側が該外レール２２から離間しており、段差部分を除いて平坦に形成されている。また、遊技領域２１側を向いて枠状装飾体２６に対向する左側端面７３は、上端面７０に隣接する部分が右側端面７２と平行な平坦面となっているが、該平坦部分以外は、枠状装飾体２６側へ凸となるよう膨出した湾曲形状をなして下端面７１に連続している。すなわち、緩衝部材６４は、パチンコ球の打ち出し側に向いた上端部６７よりも、部材取付部５５に保持される中間部６６および下端部６５が、左右方向の寸法が大きく形成されると共に、中間部６６よりも下端部６５が左右方向の寸法が大きくなっている。
【００４１】
(第１部材係止部)
緩衝部材６４には、図４〜図７に示すように、該緩衝部材６４の下端部６５に、部材取付部５５の第２保持壁５７に形成された前述の第１係止部５８に係止可能な第１部材係止部７４が設けられている。第１部材係止部７４は、下端面７１から下方へ突出すると共に前後方向へ延在する突条部である。第１部材係止部７４は、緩衝部材６４を部材取付部５５に取り付ける際に、後方へ開口した第２係止部５９に対して後方から挿入可能に構成されている。
【００４２】
(第２部材係止部)
緩衝部材６４は、図４〜図７に示すように、該緩衝部材６４の下端部６５と上端部６７との間の中間部６６に、部材取付部５５の第１保持壁５６に設けられた第２係止部５９に係止する第２部材係止部７５が設けられている。第２部材係止部７５は、緩衝部材６４の下端部６５と上端部６７との中間部において前後に直線状に延在して、前端面６８および後端面６９に開口する貫通孔である。また、第２部材係止部７５の開口形状は、第２係止部５９の断面形状と同じ俵形状をなしており、該開口における長手側が、当該緩衝部材６４の長手方向に対し僅かに斜め(右斜め)となる向きに形成されている。
【００４３】
(取付部に対する緩衝部材の取付態様)
前述のように構成された実施例の緩衝構造では、図７に示すように、部材取付部５５に設けられた第１係止部５８および第２係止部５９を、緩衝部材６４の第１部材係止部７４および第２部材係止部７５に夫々整合させ、該緩衝部材６４を部材取付部５５に対し後方から第１保持壁５６に向けて押し込むことで、図８に示すように、部材取付部５５の第１係止部５８および第２係止部５９と緩衝部材６４の第１部材係止部７４および第２部材係止部７５が夫々係止し、当該緩衝部材６４が部材取付部５５に取り付けられる。緩衝部材６４は、第１部材係止部７４と第１係止部５８とが係止すると共に第２部材係止部７５と第２係止部５９とが係止することで、下端部６５および中間部６６の弾性変形が規制された状態となっている。これに対し、中間部６６より上方の上端部６７は、第１係止部５８および第２係止部５９により弾性変形が規制されず、パチンコ球の衝突による弾性変形が許容された状態となっている。そして、緩衝部材６４は、その上端面７０および左側端面７３が遊技領域２１へ露出した状態で配設されている。
【００４４】
(外レールと緩衝部材との隙間について)
実施例の緩衝構造では、図４および図５に示すように、部材取付部５５に取り付けられた緩衝部材６４が、遊技領域２１における外レール２２の内側に、該外レール２２と隙間Ｓを空けて重なるように配置される。すなわち、部材取付部５５に取り付けられた緩衝部材６４の右側端面７２と、外レール２２の隣接部２２ａとの間に、隙間Ｓが画成されている。これにより、図９に２点鎖線で示すように、遊技領域２１へ打ち出されて外レール２２に沿って緩衝部材６４側へ到来するパチンコ球が、該緩衝部材６４の上端部６７に衝突した際に、該上端部６７が外レール２２側へ近接する弾性変形が許容され、緩衝部材６４の変形自由度が高められている。
【００４５】
実施例の緩衝構造では、緩衝部材６４に対するパチンコ球の衝突により上端部６７が外レール２２側へ弾性変形した場合には、図９に２点鎖線で示す状態、すなわち上端部６７が外レール２２に当接した状態以上の該上端部６７の弾性変形は、外レール２２により規制されるようになっている。すなわち、緩衝部材６４は、外レール２２に接触するまでの上端部６７の弾性変形は許容され、外レール２２に上端部６７が接触した状態以上の過剰な弾性変形は規制されるよう構成されている。
【００４６】
また、実施例の緩衝構造では、部材取付部５５に取り付けられた緩衝部材６４は、上端面７０および左側端面７３が遊技領域２１に露出しており、上端部６７の遊技領域２１側への弾性変形が規制されないようになっている。従って、緩衝部材６４に対するパチンコ球の衝突時には、図９に１点鎖線で示すように、上端部６７が遊技領域２１側(外レール２２と反対側)へ弾性変形することが可能である。
【００４７】
更に、実施例の緩衝構造では、図２および図８(ａ)に示すように、部材取付部５５に取り付けられた緩衝部材６４が、部材取付部５５の第１保持壁５６の縁部５６ａよりも遊技領域２１の内側へ突出している。このため、パチンコ球が緩衝部材６４の上端部６７の上端面７０側や、中間部６６の左側端面７３側に衝突した際に、該パチンコ球が第１保持壁５６には接触しないようになっている。これにより、パチンコ球の接触による第１保持壁５６の損傷を防止し得ると共に、パチンコ球と第１保持壁５６との接触による異音の発生も防止し得るよう構成されている。
【００４８】
(アース金具)
実施例の遊技盤２０は、図５および図８(ｂ)に示すように、盤面飾り部材２４における部材取付部５５に隣接した位置に、当該遊技盤２０に帯電した静電気をアースするためのアース金具８０が配設されている。このアース金具８０は、盤面飾り部材２４における部材取付部５５に隣接して設けられた金具取付部７８にネジ固定することで、外レール２２の隣接部２２ａの端面に接触する第１接触部８１と、遊技盤２０の後側に取り付けられる前述の設置部材４０に取り付けられ、機外に電気的に接続されたアース部(図示せず)に接触する第２接触部８２とを備えている。これにより、遊技盤２０の遊技領域２１へ打ち出されたパチンコ球が静電気を帯電している場合に、該パチンコ球が外レール２２に接触することで、該静電気が外レール２２およびアース金具８０を介して機外へアースされるようになっている。
【００４９】
〔実施例の作用〕
実施例のパチンコ機１０は、操作ハンドル１８により発射操作を行うことで球送り装置および球発射装置が作動し、上球皿１４内に貯留されたパチンコ球が、遊技盤２０の左上部から遊技領域２１内へ所定間隔毎に打ち出される。主制御装置において大当り抽選の結果に基づく大当り条件の成立前では、操作ハンドル１８により球発射装置の打ち出し強さを調節して、遊技領域２１へ打ち出された各パチンコ球が該遊技領域２１の第１流下領域２１ａを流下するようにする。第１流下領域２１ａに打ち出されたパチンコ球は、遊技釘３５や回転案内具３６等に接触しながら流下し、該パチンコ球の一部は、第１始動入賞装置３０の始動入賞口や普通入賞具３３の普通入賞口に入賞する。そして、第１始動入賞装置３０にパチンコ球が入賞して、該始動入賞装置３０の始動入賞センサからの検出信号を主制御装置が受信すると、該主制御装置は、大当り抽選を行う一方、統括制御装置に制御信号を出力して図柄表示装置３８で図柄変動演出を行わせると共に、中枠１２の後側に配設された払出制御装置に制御信号を出力して、球払出装置に所定数の賞球を払い出させる。
【００５０】
第１始動入賞装置３０へのパチンコ球の入賞を契機とした主制御装置における大当り抽選の結果に基づき、所定の大当り条件が成立して特別遊技状態が発生した場合には、図柄表示装置３８の表示部３８ａでの図柄変動演出の後に、該表示部３８ａに所定の図柄組合わせで図柄が停止表示されると共に、特別入賞装置３２の開閉部材３２ａを開放させ、該特別入賞装置３２に対してパチンコ球が入賞可能となる。
【００５１】
前述のように、特別遊技状態が発生して特別入賞装置３２の開閉部材３２ａが開放したら、該特別入賞装置３２に対してパチンコ球を入賞させるため、操作ハンドル１８を操作量を変更して球発射装置の打ち出し強さを増加させて「右打ち状態」に変更する。これにより、球発射装置から発射されたパチンコ球は、勢いよく遊技領域２１の左上部から該遊技領域２１へ打ち出され、外レール２２に沿って右方へ飛翔して緩衝部材６４に衝突する。これにより、緩衝部材６４の上端部６７が、外レール２２の隣接部２２ａ側へ弾性変形するか、該外レール２２の隣接部２２ａと反対側の遊技領域２１側へ弾性変形するようになり、該緩衝部材６４の弾性変形によりパチンコ球の勢いが低減される。そして、減勢されたパチンコ球は、緩衝部材６４の左側から遊技領域２１の第２流下領域２１ｂを流下するようになり、該第２流下領域２１ｂの中間部に位置する特別入賞装置３２の特別入賞口や、該第２流下領域２１ｂの下部に位置する特別入賞装置３２の特別入賞口に入賞するようになり、入賞したパチンコ球は特別入賞センサで検出される。
【００５２】
前述のように構成された実施例のパチンコ機１０では、遊技領域２１におけるパチンコ球の打ち出し側と反対側を画成する盤面飾り部材２４の上部に設けられた部材取付部５５に取り付けた緩衝部材６４が、該遊技領域２１おける打ち出し側から盤面飾り部材２４の下内側壁５６ｂの上端部６７までの間を画成する外レール２２の内側に、該外レール２２と隙間Ｓを空けて重なるよう配置される。これにより、遊技領域２１に打ち出されて外レール２２に沿って移動したパチンコ球が緩衝部材６４に衝突した際には、隙間Ｓの範囲内で当該緩衝部材６４の外レール２２側への弾性変形が許容される。すなわち、パチンコ球が衝突した際の緩衝部材６４の変形自由度が高められていることで、該緩衝部材６４の弾性変形に伴ってパチンコ球の勢いを適切に低減することができる。そして、緩衝部材６４と外レール２２との隙間Ｓの大きさ以上の該緩衝部材６４の変形は規制されるので、緩衝部材６４の過剰な変形を規制して当該緩衝部材６４の破損等を防止し得る。
【００５３】
緩衝部材６４は、下端部６５に設けられた第１部材係止部７４と部材取付部５５に設けられた第１係止部５８との係止により該下端部６５が部材取付部５５に保持され、上端部６７にパチンコ球が衝突した際には該上端部６７が外レール２２に向けて弾性変形するか、外レール２２と反対側の遊技領域２１側に向けて変形することで、パチンコ球の勢いを好適に低減することができる。
【００５４】
更に、緩衝部材６４が、第１部材係止部７４および第２部材係止部７５で盤面飾り部材２４に設けられた部材取付部５５に保持されるので、該緩衝部材６４が部材取付部５５に対して適切な姿勢で保持されるようになり、緩衝部材６４を、外レール２２と適切な隙間Ｓを空けた姿勢で配置することが可能である。
【００５５】
更に、緩衝部材６４が、部材取付部５５における第１保持壁５６の縁部５６ａよりも遊技領域２１の内側へ突出しているので、パチンコ球が該部材取付部５５の縁部５６ａに接触することが防止され、該第１保持壁５６の破損を防止し得ると共に、パチンコ球と第１保持壁５６との衝突による異音の発生も防止し得る。
【００５６】
また、部材取付部５５に設けた第２保持壁５７が補強リブ４８と連設されていると共に、第２係止部５９が俵形状をなす断面形状に形成されているので、緩衝部材６４にパチンコ球が衝突した際の衝撃が繰り返し加わっても、部材取付部５５の変形や破損を防止することができる。
【００５７】
(変更例)
本発明に係る遊技機は、実施例に例示の形態に限らず種々の変更が可能である。
（１）緩衝部材の形状は、実施例で例示した形状に限らず、直方体、角錐台または平行六面体等、様々な形状とすることが可能である。
（２）取付部に設けた第１係止部を突条部とすると共に、緩衝部材に設けた第１部材係止部を、該第１係止部が嵌合して係止可能な凹溝部としてもよい。
（３）取付部に設けた第２係止部の断面形状は、実施例で例示した俵形状に限るものではなく、円形状、楕円形、三角形や四角形等の多角形や、十字型やＨ型等としてもよい。
（４）取付部の第２保持壁は、緩衝部材の下端部の外面全体に当接する形状としてもよい。
（５）第２領域画成部と緩衝部材との間の隙間は、緩衝部材の過剰な弾性変形とならない範囲(例えば２〜４ｍｍ程度)で、適切な間隔に設定することが可能である。
（６）実施例では、遊技機としてのパチンコ機を示したが、遊技機はパチンコ機に限られるものではなく、アレンジボール機等であってもよい。
【符号の説明】
【００５８】
２０ 遊技盤
２１ 遊技領域
２２ 外レール(第２領域画成部、領域画成部)
２３ 内レール(領域画成部)
２４ 盤面飾り部材(第１領域画成部、領域画成部)
５５ 部材取付部(取付部)
５７ 第２保持壁(保持壁)
５８ 第１係止部
５９ 第２係止部
６４ 緩衝部材
７４ 第１部材係止部
７５ 第２部材係止部
８０ アース金具
Ｓ 隙間
【図１】
0006284848.tif 000002
【図２】
0006284848.tif 000003
【図３】
0006284848.tif 000004
【図４】
0006284848.tif 000005
【図５】
0006284848.tif 000006
【図６】
0006284848.tif 000007
【図７】
0006284848.tif 000008
【図８】
0006284848.tif 000009
【図９】
0006284848.tif 000010